(57)【特許請求の範囲】
【請求項１】
密封余剰部を含む一側面に電極端子が形成されている板状型の電池セルを含み、前記密封余剰部に保護回路モジュール（ＰＣＭ）が装着されている構造の電池パックであって、
前記電池セルの電極端子は板状型の導電性部材からなっており、
前記ＰＣＭは、ＰＣＢ（保護回路印刷基板）、電池セルの一側の電極端子とＰＣＢとの間に電気的に接続されているか、または前記ＰＣＢ上に搭載された安全素子、前記ＰＣＢの保護回路に電気的に接続されている外部入出力端子、及び前記外部入出力端子が外部に延びた状態で前記ＰＣＢ及び安全素子が装着される電気絶縁性のモジュールケースを含む構成となっており、
前記ＰＣＭは、電池セルの電極端子に電気的に接続されて前記モジュールケースに収納された状態で、電池セルの密封余剰部上に搭載されており、
前記モジュールケースは、一側面が外部に開放されたＰＣＢ収納部を含んでおり、密封余剰部に接するモジュールケースの外面に接着性の固定テープが付着しており、
前記固定テープは、前記モジュールケースの平面上の幅と長さに対応する大きさで付着しており、
前記モジュールケースは直方体構造のボックス型構造であり、前記モジュールケースは電池セルの電極端子の挿入のための２つの電極端子挿入溝を含んでいることを特徴とする、電池パック。
【請求項２】
前記板状型の電池セルは、パウチ型二次電池であって、樹脂層と金属層を含むラミネートシートの電池ケースに電極組立体が密封されている構造からなることを特徴とする、請求項１に記載の電池パック。
【請求項３】
前記電極組立体は、正極、負極及び正極と負極との間に介在する分離膜構造であり、電解液と共に前記電池ケースの内部に密封されていることを特徴とする、請求項２に記載の電池パック。
【請求項４】
前記密封余剰部は、電池ケースの熱融着密封によって形成された上端シーリング部であることを特徴とする、請求項１に記載の電池パック。
【請求項５】
前記安全素子は、ＰＴＣ素子、ヒューズ（fuse）及びＴＣＯ（Thermal Cutoff、Cutout）からなる群から選択される１つ以上であることを特徴とする、請求項１に記載の電池パック。
【請求項６】
前記外部入出力端子は、板状型またはワイヤの形態からなることを特徴とする、請求項１に記載の電池パック。
【請求項７】
前記固定テープの基材フィルム（base film）は、ＰＣ（polycarbonate）テープ、ノーメックス（nomex）テープ、ＰＰ（polypropylene）テープ、ＰＥ（polyethylene）テープまたはＰＥＴ（polyethylene terephthalate）テープであることを特徴とする、請求項１に記載の電池パック。
【請求項８】
前記固定テープの両面に粘着性物質が塗布されていることを特徴とする、請求項７に記載の電池パック。
【請求項９】
前記モジュールケースの内部には１つ以上のＰＣＢ固定突出部が形成されていることを特徴とする、請求項１に記載の電池パック。
【請求項１０】
前記外部入出力端子を除いたＰＣＭと電池セルの外面を包む形態でラベルが付着していることを特徴とする、請求項１に記載の電池パック。
【請求項１１】
板状型の導電性部材からなる電極端子が上端に形成されている板状型の電池セルの密封余剰部上に搭載される保護回路モジュール（ＰＣＭ）であって、
ＰＣＢ（保護回路印刷基板）、電池セルの一側の電極端子とＰＣＢとの間に電気的に接続されているか、または前記ＰＣＢ上に搭載された安全素子、前記ＰＣＢの保護回路に電気的に接続されている外部入出力端子、及び前記外部入出力端子が外部に延びた状態で前記ＰＣＢ及び安全素子が装着される電気絶縁性のモジュールケースを含む構成となっており、
前記モジュールケースは、一側面が外部に開放されたＰＣＢ収納部を含んでおり、密封余剰部に接するモジュールケースの外面に接着性の固定テープが付着しており、
前記固定テープが、前記モジュールケースの平面上の幅と長さに対応する大きさで付着しており、
前記モジュールケースは直方体構造のボックス型構造であり、前記モジュールケースは電池セルの電極端子の挿入のための２つの電極端子挿入溝を含んでいることを特徴とする、保護回路モジュール。
【請求項１２】
前記固定テープの両面に粘着性物質が塗布されていることを特徴とする、請求項１１に記載の保護回路モジュール。
【請求項１３】
請求項１〜１０のいずれか一項に記載の電池パックを製造する方法であって、
（ａ）ＰＣＢに外部入出力端子を溶接またはソルダリングによって接続する過程と、
（ｂ）電池セルの電極端子とＰＣＢを溶接またはソルダリングによって接続する過程と、
（ｃ）固定テープが付着しているモジュールケースの収納部にＰＣＢを装着する過程と、
（ｄ）前記固定テープが密封余剰部に接するようにＰＣＭを電池セルの密封余剰部上に搭載する過程と、
（ｅ）外部入出力端子を除いたＰＣＭと電池セルの外面を包む形態でラベルを付着する過程と、
を含むことを特徴とする、電池パック製造方法。
【請求項１４】
前記溶接は、スポット溶接（spot welding）、レーザー溶接（laser welding）または超音波溶接（ultrasonic welding）であることを特徴とする、請求項１３に記載の電池パック製造方法。
【請求項１５】
前記過程（ｃ）の代りに、モジュールケースの収納部にＰＣＢを装着した後、固定テープを付着する過程に代替することを特徴とする、請求項１３に記載の電池パック製造方法。
【請求項１６】
請求項１〜１０のいずれか一項に記載の電池パックを電源として含むことを特徴とする、モバイルデバイス。
【請求項１７】
前記モバイルデバイスは、携帯電話、ノートパソコン、ネットブック、タブレットＰＣまたはスマートパッドであることを特徴とする、請求項１６に記載のモバイルデバイス。
【発明の詳細な説明】
【技術分野】
【０００１】
本発明は、保護回路モジュール固定テープを含む電池パックに係り、より詳細には、密封余剰部を含む一側面に電極端子が形成されている板状型電池セルを含み、前記密封余剰部に保護回路モジュール（ＰＣＭ）が装着されている構造の電池パックであって、前記電池セルの電極端子は板状型の導電性部材からなっており、前記ＰＣＭは、ＰＣＢ（保護回路印刷基板）、電池セルの一側の電極端子とＰＣＢとの間に電気的に接続されているか、または前記ＰＣＢ上に搭載された安全素子、前記ＰＣＢの保護回路に電気的に接続されている外部入出力端子、及び前記外部入出力端子が外部に延びた状態で前記ＰＣＢ及び安全素子が装着される電気絶縁性のモジュールケースを含む構成となっており、前記ＰＣＭは、電池セルの電極端子に電気的に接続されて前記モジュールケースに収納された状態で、電池セルの密封余剰部上に搭載されており、前記モジュールケースは、一側面が外部に開放されたＰＣＢ収納部を含んでおり、密封余剰部に接するモジュールケースの外面に接着性固定テープが付着していることを特徴とする電池パックに関する。
【背景技術】
【０００２】
エネルギー密度及び作動電圧が高く、保存及び寿命特性に優れたリチウム二次電池に代表される二次電池は、各種モバイル機器はもとより、様々な電子製品のエネルギー源として広く使用されている。
【０００３】
二次電池は、それが使用される外部機器の種類によって、挿入と離脱が自由な着脱式構造で使用されたり、外部機器の内部に埋め込まれる形態の内蔵型構造で使用されたりする。例えば、ノートパソコンのようなデバイスは、使用者の必要によって電池の挿入及び離脱が可能である一方、一部の携帯電話などのようなデバイスは、その構造及び容量の問題により内蔵型電池パックの使用が要求されることもある。
【０００４】
一方、リチウム二次電池には各種可燃性物質が内蔵されているので、過充電、過電流、その他の物理的な外部衝撃などによって発熱、爆発などの危険性があるため、安全性において大きな欠点を有している。したがって、リチウム二次電池には、過充電、過電流などの異常な状態を効果的に制御できる安全素子として、ＰＴＣ（Positive Temperature Coefficient）素子、保護回路モジュール（ＰＣＭ：Protection Circuit Module）などが電池セルに接続されている。
【０００５】
一般に、内蔵型構造の二次電池パックは、電気的接続構造に適した板状型電池セルを使用し、ＰＣＭなどは、導電性ニッケルプレートを媒介として溶接またはソルダリング方式で電池セルに接続される。すなわち、ニッケルプレートを電池セルの電極端子にそれぞれ溶接またはソルダリングし、両面テープの一側にはＦ（flexible）−ＰＣＢを溶接し、他側には保護テープを付着して電池セルに密着させた状態で、Ｆ−ＰＣＢの電極タブとニッケルプレートが溶接される方法で、ＰＣＭを電池セルに接続して電池パックを製造する。
【０００６】
このようなＰＣＭを含む安全素子は、電極端子と電気的接続を維持しながら、同時に電池セルの他の部分とは電気的絶縁状態を維持しなければならない。
【０００７】
したがって、ＰＣＭをはじめとするそれぞれの部材に対して絶縁性テープを付着し、その他にも、電池セルを内蔵している電池ケースのシーリング部の一部を折り曲げて絶縁性テープを付着したり、バーコードをプリントするなどの非常に複雑な過程を経るようになる。
【０００８】
このように、安全な接続形態を構成するためには多数の絶縁性テープまたは多数の部品が要求されるので、電池パックの組立工程を複雑にし、製造コストが上昇するという問題を有している。
【０００９】
また、外部から衝撃が加わる場合、電池パックは、機械的剛性の低い絶縁性テープの使用により、ＰＣＭが破損したり、寸法安定性が著しく低下するなどの問題を引き起こすこともある。
【００１０】
したがって、電池セルに装着される部材の数を減少させて組立工程を簡素化し、電池セルに搭載される部材を相互間に安定的に結合させると同時にＰＣＭを保護することができる技術に対する必要性が高い実情である。
【発明の概要】
【発明が解決しようとする課題】
【００１１】
本発明は、上記のような従来技術の問題点及び過去から要請されてきた技術的課題を解決することを目的とする。
【００１２】
具体的に、本発明の目的は、電池パックに必要とされる部品数を減少させて組立工程を簡素化し、優れた構造的安定性を発揮することができる電池パックを提供することである。
【００１３】
本発明の更に他の目的は、特定の構造のモジュールケース及び固定テープを電池パックに適用することによって、コンパクトな構造を有すると共に、同一規格の電池パックで電気容量を拡大することができる構造の電池パックを提供することである。
【課題を解決するための手段】
【００１４】
このような目的を達成するための本発明に係る電池パックは、
密封余剰部を含む一側面に電極端子が形成されている板状型電池セルを含み、前記密封余剰部に保護回路モジュール（ＰＣＭ）が装着されている構造の電池パックであって、
前記電池セルの電極端子は板状型の導電性部材からなっており、
前記ＰＣＭは、ＰＣＢ（保護回路印刷基板）、電池セルの一側の電極端子とＰＣＢとの間に電気的に接続されているか、または前記ＰＣＢ上に搭載された安全素子、前記ＰＣＢの保護回路に電気的に接続されている外部入出力端子、及び前記外部入出力端子が外部に延びた状態で前記ＰＣＢ及び安全素子が装着される電気絶縁性のモジュールケースを含む構成となっており、
前記ＰＣＭは、電池セルの電極端子に電気的に接続されて前記モジュールケースに収納された状態で、電池セルの密封余剰部上に搭載されており、
前記モジュールケースは、一側面が外部に開放されたＰＣＢ収納部を含んでおり、密封余剰部に接するモジュールケースの外面に接着性固定テープが付着している構成となっている。
【００１５】
したがって、本発明の電池パックは、一側面が外部に開放されたＰＣＢ収納部を含み、モジュールケースの外部の一面に固定テープが付着された後、電池セルの密封余剰部上に搭載されて固定される構造を電池パックに適用することによって、電池パックの部品及び結合構造を簡素化して電池パックの製造工程性及び安定性を向上させることができる。
【００１６】
また、本発明の電池パックは、特定の構造のモジュールケース及び固定テープを電池パックに適用することによって、全体的にコンパクトな構造を提供すると共に、同一規格の電池パックで電気容量を増大させることができる。
【００１７】
一具体例において、前記板状型電池セルはパウチ型二次電池であってもよい。
【００１８】
前記パウチ型二次電池は、具体的に、樹脂層と金属層を含むラミネートシートに電極組立体が密封されている構造であってもよく、前記電極組立体は、正極、負極及び正極と負極との間に介在する分離膜構造であり、電解液と共に前記電池ケースの内部に密封されている構造であってもよい。
【００１９】
前記二次電池は、好ましくは、高いエネルギー密度、放電電圧、及び出力安定性のリチウム二次電池であってもよい。このようなリチウム二次電池のその他の構成要素については、以下で詳細に説明する。
【００２０】
一般に、リチウム二次電池は、正極、負極、分離膜、リチウム塩含有非水電解液などで構成されている。
【００２１】
正極は、例えば、正極集電体上に正極活物質、導電材及びバインダーの混合物を塗布した後、乾燥して製造され、必要に応じて、充填剤をさらに添加することもある。負極はまた、負極集電体上に負極材料を塗布、乾燥して作製され、必要に応じて、上述したような成分がさらに含まれてもよい。
【００２２】
前記分離膜は、負極と正極との間に介在し、高いイオン透過度及び機械的強度を有する絶縁性の薄い薄膜が使用される。
【００２３】
リチウム塩含有非水系電解液は、非水電解液とリチウム塩からなっており、非水電解液としては、液状非水電解液、有機固体電解質、無機固体電解質などが使用される。
【００２４】
前記集電体、電極活物質、導電材、バインダー、充填剤、分離膜、電解液、リチウム塩などは当業界に公知となっているので、それについての詳細な説明は本明細書で省略する。
【００２５】
このようなリチウム二次電池は、当業界に公知となっている通常の方法により製造することができる。すなわち、正極と負極との間に多孔性分離膜を挿入し、それに電解液を注入して製造することができる。
【００２６】
正極は、例えば、活物質として、リチウム遷移金属酸化物、導電材及びバインダーを含有したスラリーを集電体上に塗布した後、乾燥して製造することができる。同様に、負極は、例えば、炭素活物質、導電材及びバインダーを含有したスラリーを薄い集電体上に塗布した後、乾燥して製造することができる。
【００２７】
本発明において、前記密封余剰部は、電池ケースの熱融着密封によって形成された上端シーリング部を意味する。
【００２８】
具体的に、電極組立体がラミネートシートの電池ケースに密封されるときに形成される密封された外周面のうち、一面に形成された余分な空間を持つ密封部を密封余剰部という。しかし、同じ意味を内包しているものであれば、前記密封余剰部は、シーリング余剰部、熱融着余剰部、シーリングテラス、密封テラスなどのような用語に代替できることは勿論である。
【００２９】
一具体例において、前記安全素子は、電池パックが装着されるデバイスと電気的に接続される負極及び正極端子と、電池パックの過充電、過電流などの異常な状態を効果的に制御することができる素子であって、安全素子の例としては、ＰＴＣ（Positive Temperature Coefficient）素子、ヒューズ（fuse）またはＴＣＯ（Thermal Cutoff、Cutout）などがある。
【００３０】
前記外部入出力端子は、ＰＣＢと電気的に接続され、充電器などのような外部デバイスから電池セルに電流を供給したり、または電池セルから携帯電話などのデバイスに電流を提供することができる形態であれば、特に制限されるものではないが、内蔵型電池パックにおいて、好ましくは、板状型またはワイヤの形態であってもよい。
【００３１】
一具体例において、前記固定テープの基材フィルム（base film）は、電池セルの密封余剰部を外部から電気的に絶縁させ、モジュールケースを電池セルの密封余剰部に固定させることができる電気絶縁性素材であれば、特に制限されるものではないが、例えば、ＰＣ（polycarbonate）テープ、ノーメックス（nomex）テープ、ＰＰ（polypropylene）テープ、ＰＥ（polyethylene）テープまたはＰＥＴ（polyethylene terephthalate）テープであってもよい。
【００３２】
また、前記固定テープは、モジュールケースの外部の一面に強固に付着された後、モジュールケースを電池セルの密封余剰部に強固に固定できるように、固定テープの両面に粘着性物質が塗布されていてもよく、モジュールケースの平面上の幅と長さに対応する大きさに形成されている構造であってもよい。場合によっては、前記固定テープがモジュールケースの平面上の幅及び長さよりも少し大きくて、余剰部位をモジュールケースの側面に付着する形態であってもよいなど、本発明の目的を損なわない範囲で変形などが可能であることは勿論である。
【００３３】
更に他の具体例において、前記モジュールケースは、直方体構造のボックス型構造であり、モジュールケースの内部には、１つ以上のＰＣＢ固定突出部が形成されている構造であってもよい。
【００３４】
したがって、このような構造の保護回路モジュールは、特定の構造のＰＣＢ収納部、ＰＣＢ固定突出部及び固定テープを含んでいるので、ＰＣＢ及び安全素子をＰＣＢ収納部に容易に収納及び固定することができる。また、モジュールケースは、追加の固定部材または保護部材を必要としない構造からなっているので、簡素化された組立工程によって向上した生産効率性を達成することができる。さらに、ＰＣＢ及び安全素子は、モジュールケースのＰＣＢ収納部に収納され、ＰＣＢ固定突出部によって強固且つ安定的に固定されると同時に、外部から電気的に絶縁及び保護され得るので、ＰＣＭの全体的な機械的剛性を高めることができ、従来の内蔵型電池パックと比較して、絶縁性テープの使用量を大幅に減少させることができる。
【００３５】
また、モジュールケースの外部面は、外部に突出したり装着されたりする追加の部材がない滑らかな面を有する構造であるので、電池パックの滑らかな外部面を形成することができ、それによって、正確な寸法の電池パックを具現することができ、これと同時に外部の美麗さを達成することができる。
【００３６】
さらに、このような構造のＰＣＢ収納部及び保護テープを含むモジュールケースは、例えば、外観が滑らかな直方体構造であるので、電池セルの密封余剰部上に容易に搭載することができる。
【００３７】
結果的に、本発明に係る電池パックは、従来と比較して、よりコンパクトな構造を達成することができ、従来のＰＣＭ、ＰＣＭ固定部材またはＰＣＭ保護部材が占める空間を電気容量の拡大のための空間として活用できるので、同一規格の電池パックで電気的容量拡大効果を達成することができる。
【００３８】
一方、前記モジュールケースは、電池セルの電極端子の挿入のための２つの電極端子挿入溝を含んでいる構造であってもよい。
【００３９】
更に他の具体例において、外部入出力端子を除いたＰＣＭと電池セルの外面を包む形態でラベルが付着している構造からなることができ、これによって、全般的に絶縁状態を維持しながら、電池セルの電極端子とＰＣＢとの電気的接続状態をより安定的に担保することができる。
【００４０】
本発明はまた、前記電池パックの構成に使用される特定の構造の保護回路モジュールを提供する。
【００４１】
具体的に、本発明に係る保護回路モジュールは、板状型の導電性部材からなる電極端子が上端に形成されている板状型電池セルの密封余剰部上に搭載される保護回路モジュール（ＰＣＭ）であって、
ＰＣＢ（保護回路印刷基板）、電池セルの一側の電極端子とＰＣＢとの間に電気的に接続されているか、または前記ＰＣＢ上に搭載された安全素子、前記ＰＣＢの保護回路に電気的に接続されている外部入出力端子、及び前記外部入出力端子が外部に延びた状態で前記ＰＣＢ及び安全素子が装着される電気絶縁性のモジュールケースを含む構成となっており、
前記モジュールケースは、一側面が外部に開放されたＰＣＢ収納部を含んでおり、密封余剰部に接するモジュールケースの外面に接着性固定テープが付着している構成となっている。
【００４２】
一般的な内蔵型電池パックの組立過程では、接続部材、Ｆ−ＰＣＭなどを結合し、各ステップ毎に絶縁性テープを付着する過程により電池セル上にＰＣＭアセンブリを設置する。したがって、多数の部品などを用いてＰＣＭアセンブリを電池セル上に装着するため、多数の工程が要求され、機械的剛性だけでなく構造的安定性が低いという問題が誘発される。
【００４３】
これとは異なり、本発明に係る保護回路モジュールは、安全素子がＰＣＢに結合された状態でモジュールケースに内蔵された構造からなっているので、電池パックの構造的安定性が向上し、電池パックの製造工程を大幅に簡素化することができる。
【００４４】
一具体例において、前記外部入出力端子は、ＰＣＢと電気的に接続され、充電器などのようなデバイスから電池セルに電流を供給したり、または電池セルから携帯電話などのようなデバイスに電流を提供することができる形態であれば、特に制限されるものではないが、内蔵型電池パックにおいて、好ましくは、板状型またはワイヤの形態であってもよい。
【００４５】
前記固定テープに関するその他の事項は、先に電池パックで説明したものと同一である。
【００４６】
更に他の具体例において、前記モジュールケースは、直方体構造のボックス型構造であり、モジュールケースの内部には１つ以上のＰＣＢ固定突出部が形成されている構造であってもよい。
【００４７】
また、前記モジュールケースは、電池セルの電極端子の挿入のための２つの電極端子挿入溝を含んでいる構造であってもよい。
【００４８】
本発明はまた、前記電池パックを製造する方法を提供する。
【００４９】
具体的に、本発明に係る電池パックを製造する方法は、
（ａ）ＰＣＢに外部入出力端子を溶接またはソルダリングによって接続する過程と、
（ｂ）電池セルの電極端子とＰＣＢを溶接またはソルダリングによって接続する過程と、
（ｃ）固定テープが付着しているモジュールケースの収納部にＰＣＢを装着する過程と、
（ｄ）前記固定テープが密封余剰部に接するようにＰＣＭを電池セルの密封余剰部上に搭載する過程と、
（ｅ）外部入出力端子を除いたＰＣＭと電池セルの外面を包む形態でラベルを付着する過程と、
を含む方法で製造することができる。
【００５０】
一具体例において、前記溶接は、電気的接続を達成することができる溶接であれば、特に制限されるものではないが、好ましくは、スポット溶接（spot welding）、レーザー溶接（laser welding）または超音波溶接（ultrasonic welding）であってもよい。
【００５１】
更に他の具体例において、前記過程（ｃ）の代わりに、モジュールケースの収納部にＰＣＢを装着した後、固定テープを付着する過程に代替することができる。
【００５２】
このような製造方法は、従来の内蔵型電池パックの製造工程と比較して、作業工程数を減少させ、構造的安定性が向上した電池パックを提供することができる。
【００５３】
本発明はまた、前記電池パックを電源として含んでいるモバイルデバイスを提供する。
【００５４】
本発明に係る電池パックが使用され得るモバイルデバイスの具体的な例としては、携帯電話、ノートパソコン、ネットブック、タブレットＰＣ、スマートパッドなどのようなモバイルデバイスを挙げることができる。
【００５５】
前記のようなデバイス乃至装置は当業界に公知となっているので、本明細書では、それについての具体的な説明を省略する。
【図面の簡単な説明】
【００５６】
【図１】本発明の一実施例に係る電池パックの斜視図である。
【図２】図１に示された電池パックの分解斜視図である。
【図３】本発明の一実施例に係る電池パックを製造する工程を示す斜視図である。
【図４】本発明の一実施例に係る電池パックを製造する工程を示す斜視図である。
【図５】本発明の一実施例に係る電池パックを製造する工程を示す斜視図である。
【図６】本発明の一実施例に係る電池パックを製造する工程を示す斜視図である。
【図７】本発明の一実施例に係る電池パックを製造する工程を示す斜視図である。
【図８】本発明の一実施例に係る電池パックを製造する工程を示す斜視図である。
【図９】本発明の一実施例に係るモジュールケース及び固定テープの斜視図である。
【発明を実施するための形態】
【００５７】
以下では、本発明の実施例に係る図面を参照して説明するが、これは本発明のより容易な理解のためのものであり、本発明の範疇がそれによって限定されるものではない。
【００５８】
図１には、本発明の一実施例に係る電池パックの斜視図が示されており、図２には、図１に示された電池パックの分解斜視図が示されている。
【００５９】
これら図面を参照すると、電池パック７００は、密封余剰部１３０を含む一側面に電極端子１１０，１２０が形成されている板状型電池セル１００、ＰＣＢ２００を収納する電気絶縁性モジュールケース４００、及びモジュールケース４００を電池セルの密封余剰部１３０に固定させる電気絶縁性固定テープ５００を含み、板状型電池セル１００及びモジュールケース４００は保護ラベル６００によって包まれている。
【００６０】
また、ＰＣＢ２００は、板状型外部入出力端子３００の接続部３１０と電気的に接続されており、外部入出力端子３００は、モジュールケース４００から外部に延びて形成されており、外部入出力端子３００の端部には、外部デバイスと接続され得るコネクタ３２０が形成されている。
【００６１】
図３乃至図８には、本発明の一実施例に係る電池パックを製造する工程を示す斜視図が示されている。
【００６２】
図３を図４と共に参照すると、ＰＣＢ２００の端子接続部２１０，２２０と板状型電池セル１００の電極端子１１０，１２０とがスポット溶接（spot welding）１１１，１２１によってそれぞれ電気的に接続されている。
【００６３】
ＰＣＢ２００と電極端子１１０，１２０が電気的に接続された後、ＰＣＢ２００は、板状型電池セル１００の上下部面と平行な方向に配置されるように端子接続部２１０，２２０が折り曲げられる（２０１）。
【００６４】
図４を参照すると、ＰＣＢ２００の外部入出力端子接続部２３０に電気的に接続された外部入出力端子接続部３１０は、端子接続部２１０，２２０の折り曲げによって下方を向いている。また、電池セル１００の密封余剰部１３０はＰＣＢ２００の幅と同一に形成されている。
【００６５】
図５乃至図７を参照すると、ＰＣＢ２００は、モジュールケース４００に収納され、モジュールケース４００の一面に固定テープ５００を付着（５０１）した後、電極端子１１０，１２０の折り曲げ（２０２）によって電池セル１００の密封余剰部１３０上に搭載される。
【００６６】
結果的に、モジュールケース４００から外部に延びて導出された外部入出力端子３００は、上方を向くことになる。
【００６７】
このとき、電池セル１００の密封余剰部１３０に搭載されたモジュールケース４００の幅と長さは、電池セル１００の密封余剰部１３０の幅と長さにほぼ一致している。
【００６８】
また、電池セル１００の密封余剰部１３０上に搭載されたモジュールケース４００の高さは、電池セル１００の厚さと同一の形態を有している。
【００６９】
具体的に、図５を図４及び図９と共に参照すると、モジュールケース４００は、外部に突出したり装着されたりする追加の部材がない滑らかな面を有する直方体構造のボックス型構造である。また、モジュールケース４００の内部には多数のＰＣＢ固定突出部４２１が形成されている。
【００７０】
したがって、ＰＣＢ２００及び安全素子（図示せず）は、モジュールケース４００のＰＣＢ収納部４１１に収納されてＰＣＢ固定突出部４２１によって強固且つ安定的に固定されると同時に、外部から電気的に絶縁及び保護され得る。
【００７１】
また、モジュールケース４００の一側面４３０には、電池セル１００の電極端子１１０，１２０の挿入のための２つの電極端子挿入溝４１４，４１２が形成されている。
【００７２】
一方、固定テープ５００は、両面に粘着性物質が塗布されている両面テープであって、モジュールケース４００の一側面の幅と長さに対応する大きさに形成されている。
【００７３】
したがって、モジュールケース４００は、追加の固定部材または保護部材を必要としない組立式締結構造となっているので、簡素化された組立工程によって向上した生産効率性を達成することができる。
【００７４】
また、モジュールケース４００の外部面は、外部に突出したり装着されたりする追加の部材がない滑らかな面を有する構造であるので、電池パックの滑らかな外部面を形成することができ、それによって、正確な寸法の電池パックを具現することができ、これと同時に外部の美麗さを達成することができる。
【００７５】
さらに、図７に示したように、モジュールケース４００は、外観が滑らかな直方体構造であるので、電池セルの密封余剰部上に容易に搭載することができる。
【００７６】
結果的に、本発明に係る電池パックは、従来と比較して、よりコンパクトな構造を達成することができ、従来のＰＣＭ、ＰＣＭ固定部材またはＰＣＭ保護部材が占める空間を電気容量の拡大のための空間として活用できるので、電池パックの電気的容量拡大効果を達成することができる。
【００７７】
図８を参照すると、外部入出力端子３００を除いた電池セル１００の外部面及びモジュールケース４００の外部面が保護ラベル６００によって包まれている。
【００７８】
製品の情報を表示するラベル６００は、電池セル１００と絶縁状態を維持しながら、電池セル１００の電極端子１１０，１２０とＰＣＢ２００との電気的接続状態をより安定的に担保する。
【００７９】
以上、本発明の実施例に係る図面を参照して説明したが、本発明の属する分野における通常の知識を有する者であれば、上記内容に基づいて本発明の範疇内で様々な応用及び変形を行うことが可能であろう。
【産業上の利用可能性】
【００８０】
以上で説明したように、本発明に係る電池パックは、一側面が外部に開放されたＰＣＢ収納部を含み、モジュールケースの外部の一面に固定テープが付着された後、電池セルの密封余剰部上に搭載されて固定される構造を電池パックに適用することによって、作業工程を簡素化することができ、構造的安定性を向上させることができ、電池パックのコンパクトな構造を可能にし、同一規格の電池パックで電気容量を拡大することができる。
【符号の説明】
【００８１】
１００  電池セル
１１０，１２０  電極端子
１１１，１２１  スポット溶接
１３０  密封余剰部
２００  ＰＣＢ
２１０，２２０  端子接続部
２３０  外部入出力端子接続部
３００  外部入出力端子
３１０  外部入出力端子接続部
３２０  コネクタ
４００  モジュールケース
４１１  ＰＣＢ収納部
４１２，４１４  電極端子挿入溝
４２１  ＰＣＢ固定突出部
５００  固定テープ
６００  保護ラベル
７００  電池パック
【図１】
0006259105.tif 000002
【図２】
0006259105.tif 000003
【図３】
0006259105.tif 000004
【図４】
0006259105.tif 000005
【図５】
0006259105.tif 000006
【図６】
0006259105.tif 000007
【図７】
0006259105.tif 000008
【図８】
0006259105.tif 000009
【図９】
0006259105.tif 000010